(57)【要約】      （修正有）【課題】組織線維化疾患のバイオマーカー及びその利用方法を提供すること。【解決手段】被検体から採取された体液の細胞外小胞におけるタンパク質群（A）より選択される少なくとも1種のタンパク質を検出する工程を含む、組織線維化疾患の検査方法。検出されたタンパク質の量又は濃度がカットオフ値以上である場合に、被検体が組織線維化疾患に罹患していると判定する工程を含む、組織線維化疾患の検査方法。カットオフ値が、組織線維化疾患に罹患していない被検体から採取された体液の細胞外小胞における対応タンパク質の量又は濃度の値の、2.5〜3.5倍の値である、組織線維化疾患の検査方法。【選択図】なし【特許請求の範囲】
【請求項１】
組織線維化疾患を検査する方法であって、
（1）被検体から採取された体液の細胞外小胞における、タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
より選択される少なくとも1種のタンパク質を検出する工程を含む、検査方法。
【請求項２】
さらに、（2）前記工程（1）で検出されたタンパク質の量又は濃度がカットオフ値以上である場合に、前記被検体が組織線維化疾患に罹患していると判定する工程を含む、請求項１に記載の検査方法。
【請求項３】
前記工程（2）が、
（2a）検出対象タンパク質が（Aa）Ig heavy chain V region 6.96、Laminin subunit alpha-2、Actin-related protein 2/3 complex subunit 5、Decorin、Galectin-related protein、Platelet-derived growth factor subunit B、Ig kappa chain V-III region PC 7183、Calnexin、Protein unc-13 homolog B、Calcium-transporting ATPase type 2C member 1、Oncoprotein-induced transcript 3 protein、Probable carboxypeptidase PM20D1、Properdin、Ig kappa chain V-IV region S107B、Src kinase-associated phosphoprotein 2、Pyridoxal phosphate phosphatase PHOSPHO2、 [3-methyl-2-oxobutanoate dehydrogenase [lipoamide]] kinase, mitochondrial、Syntenin-1、Low-density lipoprotein receptor、Pituitary tumor-transforming gene 1 protein-interacting protein、Transferrin receptor protein 1、Platelet glycoprotein 4、Serum amyloid A-1 protein、Kininogen-1、Transforming protein RhoA、Sushi, von Willebrand factor type A, EGF and pentraxin domain-containing protein 1、Destrin、及びFibulin-2からなる群より選択される少なくとも1種のタンパク質を含み、且つタンパク質群（Aa）からなる群より選択される少なくとも1種のタンパク質の量又は濃度がカットオフ値以上である場合に、前記被検体が慢性閉塞性肺疾患非合併型の組織線維化疾患に罹患していると判定する工程、並びに
（2b）検出対象タンパク質が（Ab）4F2 cell-surface antigen heavy chain、Alpha-1-antitrypsin 1-5、Alpha-2-antiplasmin、Alpha-2-macroglobulin、Amyloid beta A4 protein、Disintegrin and metalloproteinase domain-containing protein 10、Beta-2-microglobulin、Basigin、Bridging integrator 2、Complement C1q subcomponent subunit A、Complement C1q subcomponent subunit B、Complement C1q subcomponent subunit C、Complement C1r-A subcomponent、C4b-binding protein、Collagen alpha-1(I) chain、Collagen alpha-2(I) chain、Collagen alpha-2(IV) chain、Collagen alpha-2(VI) chain、Collagen alpha-1(XVIII) chain、Carboxypeptidase N subunit 2、Complement C1s-A subcomponent、Cytochrome c oxidase subunit 6B1、EGF-containing fibulin-like extracellular matrix protein 1、Platelet glycoprotein Ib beta chain、Platelet glycoprotein IX、Solute carrier family 2, facilitated glucose transporter member 3、H-2 class I histocompatibility antigen, Q10 alpha chain、Hippocalcin-like protein 1、Plasma protease C1 inhibitor、Interferon-induced transmembrane protein 2、Interferon-induced transmembrane protein 3、Integrin alpha-IIb、Integrin alpha-6、Integrin beta-2、Ig kappa chain V-V region MOPC 41、Laminin subunit gamma-1、Lymphocyte antigen 6E、Multimerin-1、Mucin-13、Myc target protein 1、Biglycan、Platelet factor 4、Receptor-type tyrosine-protein phosphatase eta、Sodium-dependent serotonin transporter、Serine incorporator 3、Synaptosomal-associated protein 23、Gamma-1-syntrophin、Serglycin、Trem-like transcript 1 protein、Tetraspanin-9、Thrombospondin-1、Transthyretin、Vesicle-associated membrane protein 3、及びVesicle-associated membrane protein 8からなる群より選択される少なくとも1種のタンパク質を含み、且つタンパク質群（Ab）からなる群より選択される少なくとも1種のタンパク質の量又は濃度がカットオフ値以上である場合に、前記被検体が慢性閉塞性肺疾患合併型の組織線維化疾患に罹患していると判定する工程、
からなる群より選択される少なくとも1種の工程である、請求項２に記載の検査方法。
【請求項４】
前記カットオフ値が、組織線維化疾患に罹患していない被検体から採取された体液の細胞外小胞における対応タンパク質の量又は濃度の値の、2.5〜3.5倍の値である、請求項２又は３に記載の検査方法。
【請求項５】
前記体液が全血、血漿、及び血清からなる群より選択される少なくとも1種である、請求項１〜４のいずれかに記載の検査方法。
【請求項６】
前記タンパク質（A）群が（A1）Platelet factor 4、Complement C1q subcomponent subunit B、Complement C1q subcomponent subunit A、Complement C1r-A subcomponent、Vesicle-associated membrane protein 8、Kininogen-1、Protein unc-13 homolog B、Ig heavy chain V region 6.96、Complement C1s-A subcomponent、Complement C1q subcomponent subunit C、Solute carrier family 2, facilitated glucose transporter member 3、Collagen alpha-1(XVIII) chain、Transferrin receptor protein 1、Collagen alpha-2(I) chain、Collagen alpha-2(VI) chain、Basigin、Interferon-induced transmembrane protein 3、Hippocalcin-like protein 1、Mucin-13、Platelet-derived growth factor subunit B、及びPlasma protease C1 inhibitorからなる群である、
請求項１〜５のいずれかに記載の検査方法。
【請求項７】
前記タンパク質（A1）群が（A2）
Complement C1q subcomponent subunit A、Complement C1r-A subcomponent、Protein unc-13 homolog B、Complement C1s-A subcomponent、Complement C1q subcomponent subunit C、Collagen alpha-1(XVIII) chain、Collagen alpha-2(VI) chain、Interferon-induced transmembrane protein 3、Hippocalcin-like protein 1、及びPlatelet-derived growth factor subunit Bからなる群である、
請求項６に記載の検査方法。
【請求項８】
前記被検体がマウスである、請求項１〜７のいずれかに記載の検査方法。
【請求項９】
タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
より選択される少なくとも1種のタンパク質の検出剤を含む、組織線維化疾患の検査薬。
【請求項１０】
組織線維化疾患誘発処理された動物から採取された体液の細胞外小胞における、タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
より選択される少なくとも1種のタンパク質の量又は濃度を指標とする、組織線維化疾患モデル動物のスクリーニング方法。
【請求項１１】
前記指標の値がカットオフ値以上である場合に、前記動物を組織線維化疾患モデル動物として選択する工程を含む、請求項１０に記載のスクリーニング方法。
【請求項１２】
タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
より選択される少なくとも1種のタンパク質の抑制剤を含有する、組織線維化疾患の予防又は治療剤。
【請求項１３】
被検物質で処理された動物から採取された体液の細胞外小胞における、タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
より選択される少なくとも1種のタンパク質の量又は濃度を指標とする、組織線維化疾患の予防又は治療剤の有効成分のスクリーニング方法。
【請求項１４】
前記指標の値が、被検物質で処理されていない動物から採取された体液の細胞外小胞における対応タンパク質の量又は濃度よりも低い場合に、前記被検物質を組織線維化疾患の予防又は治療剤の有効成分として選択する工程を含む、請求項１３に記載のスクリーニング方法。
【請求項１５】
被検物質で処理された動物から採取された体液の細胞外小胞における、タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
からなる群より選択される少なくとも1種のタンパク質の量又は濃度を指標とする、組織線維化の誘発性又は増悪性の評価方法。
【発明の詳細な説明】
【技術分野】
【０００１】
本発明は、組織線維化バイオマーカー、その利用等に関する。
【背景技術】
【０００２】
特発性肺線維症(IPF) は胞隔炎として始まり、慢性炎症による肺胞領域の破壊を伴って間質の線維化へと進行する予後不良の難病である。肺線維症における組織障害にはマクロファージ、好中球、リンパ球などの炎症細胞や肺胞上皮、血管内皮、線維芽細胞など様々な細胞が関与するが、そのメカニズムについては解析不十分である。さらに、IPF患者は、その多くが高齢であるため種々の併存症を合併するだけでなく、COPDを合併（気腫合併肺線維症：CPFE）することも注目されている。近年開発された抗線維化薬に対する反応も様々で、既存の血清バイオマーカー（KL-6, SP-D）は、病型による特異性や予後と必ずしも相関しない。このようにIPFは、遺伝的素因に加齢や喫煙などの外的要因が慢性的に加わることで発症する複雑かつ多様な疾患であるため、診断・治療・新薬開発のために、感受性と特異性の高いバイオマーカー(BM)が喫緊の課題とされる。
【０００３】
IPF患者においては、呼吸機能（% FVC）と画像（CT）,SGRQ, 急性増悪にて診断や病勢を判断するが、未だに有効な血清バイオマーカーが存在しない。KL-6やSP-Dの有効性も報告されるものの、すべての線維化を反映しているとはいえない。近年登場した二種類の抗線維化薬(Nitedanib, pirfenidone)については、ヘテロなIPF患者において患者選択、治療反応性、副作用を予測する方法がないのが現状である。もちろん、マウスにおいて病勢を評価するBMの開発も急務である。なぜなら、創薬の開発にあたる大手製薬企業において、線維化モデルの評価法は、マウス呼吸機能を一匹ずつ測定せざるを得ないため、スクリーニングに不向きである。
【０００４】
血清は、非侵襲的に繰り返し採取可能であるので理想的な検査試料と考えられるものの、そこに含まれる99%以上のタンパク質はバイオマーカーの観点から夾雑物とされる多量タンパク（アルブミン等）であるため、プロテオミクスの観点からは、検査資料としての有用性は低い。例えば、COPDと喘息を鑑別可能なバイオマーカーに関する最近の論文（非特許文献１）では、患者数十人の解析を試みるも、解析が2次元電気泳動法による古い質量分析(MS)技術によるものであっただけでなく、大量夾雑物を含む血清を用いたものであったため、見出されたバイオマーカーはプロトロンビンを含む血清夾雑物のみで、COPD特異的バイオマーカーとは程遠いものであった。
【０００５】
細胞外小胞は、細胞から分泌される膜小胞であり、細胞内のタンパク質や遺伝情報（mRNA, microRNA等）を細胞外に運搬することにより、局所や全身における細胞間の情報伝達を担っている。近年、がんの検査試料として細胞外小胞が注目を集めているものの、呼吸器疾患、さらには組織線維化疾患の検査試料としての有用性については知られていない。
【先行技術文献】
【非特許文献】
【０００６】
【非特許文献１】Am J Respir Crit Care Med. 2011 Jun 15;183(12):1633-43.
【発明の概要】
【発明が解決しようとする課題】
【０００７】
本発明は、組織線維化疾患のバイオマーカー及びその利用方法を提供することを課題とする。好ましくは、本発明は、組織線維化疾患における慢性閉塞性肺疾患（COPD）の合併の鑑別が可能なバイオマーカー及びその利用方法を提供することを課題とする。より好ましくは、組織線維化疾患の病態を反映するバイオマーカー及びその利用方法を提供することを課題とする。
【課題を解決するための手段】
【０００８】
本発明者は上記課題に鑑みて鋭意研究した結果、被検体から採取された体液の細胞外小胞における特定のタンパク質群が、組織線維化疾患のバイオマーカーとして有用であることを見出した。さらに研究を進めた結果、これらのバイオマーカーにより、組織線維化疾患における慢性閉塞性肺疾患（COPD）の合併の鑑別も可能であることを見出した。また、一部のバイオマーカーは、組織線維化疾患の病態を反映することをも見出した。これらの知見に基づいてさらに研究を進めた結果、本発明が完成した。即ち、本発明は、下記の態様を包含する。
【０００９】
項１．  
組織線維化疾患を検査する方法であって、
（1）被検体から採取された体液の細胞外小胞における、タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
より選択される少なくとも1種のタンパク質を検出する工程を含む、検査方法。
【００１０】
項２．  
さらに、（2）前記工程（1）で検出されたタンパク質の量又は濃度がカットオフ値以上である場合に、前記被検体が組織線維化疾患に罹患していると判定する工程を含む、項１に記載の検査方法。
【００１１】
項３．  
前記工程（2）が、
（2a）検出対象タンパク質が（Aa）Ig heavy chain V region 6.96、Laminin subunit alpha-2、Actin-related protein 2/3 complex subunit 5、Decorin、Galectin-related protein、Platelet-derived growth factor subunit B、Ig kappa chain V-III region PC 7183、Calnexin、Protein unc-13 homolog B、Calcium-transporting ATPase type 2C member 1、Oncoprotein-induced transcript 3 protein、Probable carboxypeptidase PM20D1、Properdin、Ig kappa chain V-IV region S107B、Src kinase-associated phosphoprotein 2、Pyridoxal phosphate phosphatase PHOSPHO2、 [3-methyl-2-oxobutanoate dehydrogenase [lipoamide]] kinase, mitochondrial、Syntenin-1、Low-density lipoprotein receptor、Pituitary tumor-transforming gene 1 protein-interacting protein、Transferrin receptor protein 1、Platelet glycoprotein 4、Serum amyloid A-1 protein、Kininogen-1、Transforming protein RhoA、Sushi, von Willebrand factor type A, EGF and pentraxin domain-containing protein 1、Destrin、及びFibulin-2からなる群より選択される少なくとも1種のタンパク質を含み、且つタンパク質群（Aa）からなる群より選択される少なくとも1種のタンパク質の量又は濃度がカットオフ値以上である場合に、前記被検体が慢性閉塞性肺疾患非合併型の組織線維化疾患に罹患していると判定する工程、並びに
（2b）検出対象タンパク質が（Ab）4F2 cell-surface antigen heavy chain、Alpha-1-antitrypsin 1-5、Alpha-2-antiplasmin、Alpha-2-macroglobulin、Amyloid beta A4 protein、Disintegrin and metalloproteinase domain-containing protein 10、Beta-2-microglobulin、Basigin、Bridging integrator 2、Complement C1q subcomponent subunit A、Complement C1q subcomponent subunit B、Complement C1q subcomponent subunit C、Complement C1r-A subcomponent、C4b-binding protein、Collagen alpha-1(I) chain、Collagen alpha-2(I) chain、Collagen alpha-2(IV) chain、Collagen alpha-2(VI) chain、Collagen alpha-1(XVIII) chain、Carboxypeptidase N subunit 2、Complement C1s-A subcomponent、Cytochrome c oxidase subunit 6B1、EGF-containing fibulin-like extracellular matrix protein 1、Platelet glycoprotein Ib beta chain、Platelet glycoprotein IX、Solute carrier family 2, facilitated glucose transporter member 3、H-2 class I histocompatibility antigen, Q10 alpha chain、Hippocalcin-like protein 1、Plasma protease C1 inhibitor、Interferon-induced transmembrane protein 2、Interferon-induced transmembrane protein 3、Integrin alpha-IIb、Integrin alpha-6、Integrin beta-2、Ig kappa chain V-V region MOPC 41、Laminin subunit gamma-1、Lymphocyte antigen 6E、Multimerin-1、Mucin-13、Myc target protein 1、Biglycan、Platelet factor 4、Receptor-type tyrosine-protein phosphatase eta、Sodium-dependent serotonin transporter、Serine incorporator 3、Synaptosomal-associated protein 23、Gamma-1-syntrophin、Serglycin、Trem-like transcript 1 protein、Tetraspanin-9、Thrombospondin-1、Transthyretin、Vesicle-associated membrane protein 3、及びVesicle-associated membrane protein 8からなる群より選択される少なくとも1種のタンパク質を含み、且つタンパク質群（Ab）からなる群より選択される少なくとも1種のタンパク質の量又は濃度がカットオフ値以上である場合に、前記被検体が慢性閉塞性肺疾患合併型の組織線維化疾患に罹患していると判定する工程、
からなる群より選択される少なくとも1種の工程である、項２に記載の検査方法。
【００１２】
項４．  
前記カットオフ値が、組織線維化疾患に罹患していない被検体から採取された体液の細胞外小胞における対応タンパク質の量又は濃度の値の、2.5〜3.5倍の値である、項２又は３に記載の検査方法。
【００１３】
項５．  
前記体液が全血、血漿、及び血清からなる群より選択される少なくとも1種である、項１〜４のいずれかに記載の検査方法。
【００１４】
項６．  
前記タンパク質（A）群が（A1）Platelet factor 4、Complement C1q subcomponent subunit B、Complement C1q subcomponent subunit A、Complement C1r-A subcomponent、Vesicle-associated membrane protein 8、Kininogen-1、Protein unc-13 homolog B、Ig heavy chain V region 6.96、Complement C1s-A subcomponent、Complement C1q subcomponent subunit C、Solute carrier family 2, facilitated glucose transporter member 3、Collagen alpha-1(XVIII) chain、Transferrin receptor protein 1、Collagen alpha-2(I) chain、Collagen alpha-2(VI) chain、Basigin、Interferon-induced transmembrane protein 3、Hippocalcin-like protein 1、Mucin-13、Platelet-derived growth factor subunit B、及びPlasma protease C1 inhibitorからなる群である、
項１〜５のいずれかに記載の検査方法。
【００１５】
項７．  
前記タンパク質（A1）群が（A2）
Complement C1q subcomponent subunit A、Complement C1r-A subcomponent、Protein unc-13 homolog B、Complement C1s-A subcomponent、Complement C1q subcomponent subunit C、Collagen alpha-1(XVIII) chain、Collagen alpha-2(VI) chain、Interferon-induced transmembrane protein 3、Hippocalcin-like protein 1、及びPlatelet-derived growth factor subunit Bからなる群である、
項６に記載の検査方法。
【００１６】
項８．  
前記被検体がマウスである、項１〜７のいずれかに記載の検査方法。
【００１７】
項９．  
タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
より選択される少なくとも1種のタンパク質の検出剤を含む、組織線維化疾患の検査薬。
【００１８】
項１０．  
組織線維化疾患誘発処理された動物から採取された体液の細胞外小胞における、タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
より選択される少なくとも1種のタンパク質の量又は濃度を指標とする、組織線維化疾患モデル動物のスクリーニング方法。
【００１９】
項１１．  
前記指標の値がカットオフ値以上である場合に、前記動物を組織線維化疾患モデル動物として選択する工程を含む、項１０に記載のスクリーニング方法。
【００２０】
項１２．  
タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
より選択される少なくとも1種のタンパク質の抑制剤を含有する、組織線維化疾患の予防又は治療剤。
【００２１】
項１３．  
被検物質で処理された動物から採取された体液の細胞外小胞における、タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
より選択される少なくとも1種のタンパク質の量又は濃度を指標とする、組織線維化疾患の予防又は治療剤の有効成分のスクリーニング方法。
【００２２】
項１４．  
前記指標の値が、被検物質で処理されていない動物から採取された体液の細胞外小胞における対応タンパク質の量又は濃度よりも低い場合に、前記被検物質を組織線維化疾患の予防又は治療剤の有効成分として選択する工程を含む、項１３に記載のスクリーニング方法。
【００２３】
項１５．  
被検物質で処理された動物から採取された体液の細胞外小胞における、タンパク質群（A）：
（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、及びFibulin-2からなるタンパク質群
からなる群より選択される少なくとも1種のタンパク質の量又は濃度を指標とする、組織線維化の誘発性又は増悪性の評価方法。
【発明の効果】
【００２４】
本発明によれば、組織線維化疾患のバイオマーカーを提供することができる。該バイオマーカーを利用することにより、組織線維化疾患の検査、線維化の程度の判定、組織線維化疾患モデル動物のスクリーニング等を、より簡便、より効率的、且つより低コストで行うことができる。また、該バイオマーカーを利用することにより、組織線維化疾患における慢性閉塞性肺疾患（COPD）の合併の鑑別も可能である。さらに、該バイオマーカーを利用することにより、組織線維化疾患の予防又は治療、組織線維化疾患の予防又は治療剤の有効成分のスクリーニング等も可能になり得る。
【発明を実施するための形態】
【００２５】
本明細書中において、「含有」及び「含む」なる表現については、「含有」、「含む」、「実質的にからなる」及び「のみからなる」という概念を含む。
【００２６】
1．組織線維化疾患の検査方法
本発明は、その一態様において、組織線維化疾患を検査する方法であって、
（1）被検体から採取された体液の細胞外小胞における、タンパク質群（A）より選択される少なくとも1種のタンパク質を検出する工程（工程1）を含む、検査方法（本明細書において、「本発明の組織線維化疾患検査方法」と示すこともある。）に関する。以下、これについて説明する。
【００２７】
1-1．工程（1）
検査対象である「組織線維化疾患」は、組織の線維化状態又は組織の線維化が伴う疾患である限り、特に制限されない。線維化する組織としては、例えば肺、皮膚、腎臓、心臓、肝臓、膀胱、消化管、血管等が挙げられ、好ましくは肺が挙げられる。肺線維化疾患としては、具体的には、例えば、間質性肺炎、より具体的には特発性間質性肺炎、特発性肺線維症、特発性器質化肺炎、急性間質性肺炎、剥離性間質性肺炎、リンパ球性間質性肺炎、呼吸細気管支炎関連間質性肺炎等の特発性間質性肺炎；  その他の原因不明の間質性肺炎；  膠原病による間質性肺炎、職業・環境による間質性肺炎、薬剤による間質性肺炎、放射線による間質性肺炎、感染症による間質性肺炎、他の疾患による間質性肺炎等の原因が明確な間質性肺炎；等が挙げられる。
【００２８】
被検体は、本発明の検査方法の対象生物であり、その生物種は特に制限されない。被検体の生物種としては、例えばヒト、サル、マウス、ラット、イヌ、ネコ、ウサギなどの種々の哺乳類動物が挙げられ、好ましくはマウスが挙げられる。
【００２９】
被検体の状態は、特に制限されない。被検体としては、例えば組織線維化疾患に罹患しているかどうか不明な検体、組織線維化疾患に罹患していると既に別の方法により判定されているが、COPDに罹患しているかどうか不明な検体、COPDに罹患していると既に別の方法により判定されているが、組織線維化疾患に罹患しているかどうか不明な検体、組織線維化疾患及びCOPDに罹患していると既に別の方法により判定されている検体、組織線維化疾患に罹患していないと既に別の方法により判定されている検体、組織線維化疾患の治療中の検体等が挙げられる。
【００３０】
体液は、特に制限されない。体液としては、例えば全血、血清、血漿、髄液、唾液、関節液、尿、組織液（気管支肺胞洗浄液を含む）、汗、涙、喀痰、鼻汁などが挙げられ、好ましくは全血、血清、血漿、髄液が挙げられ、より好ましくは全血、血清、血漿が挙げられる。体液は、1種単独で採用してもよいし、2種以上を組み合わせて採用してもよい。
【００３１】
体液は、当業者に公知の方法で被検体から採取することができる。例えば、全血は、注射器などを用いた採血によって採取することができる。血清は、全血から血球及び特定の血液凝固因子を除去した部分であり、例えば、全血を凝固させた後の上澄みとして得ることができる。血漿は、全血から血球を除去した部分であり、例えば、全血を凝固させない条件下で遠心分離に供した際の上澄みとして得ることができる。
【００３２】
細胞外小胞は、細胞から分泌、放出等される膜小胞である限り特に制限されない。細胞外小胞は、通常は、細胞内のタンパク質や遺伝情報（mRNA, microRNA等）を細胞外に運搬することにより、局所や全身における細胞間の情報伝達を担っている膜小胞として定義される。細胞外小胞としては、例えばエクソソーム、微小小胞体、アポトーシス小体、エクトソーム、マイクロパーティクル、分泌マイクロベシクル等が挙げられる。
【００３３】
細胞外小胞は、体液から、公知の方法に従って又は準じて、精製、分離、濃縮等することができる。細胞外小胞を精製、分離、濃縮等する方法としては、例えば超遠心法（例えばペレットダウン法、スクロースクッション法、密度勾配遠心法等）、イムノアフィニティー担体を用いる方法、ゲルろ過法、フィールド・フロー分画法、FACS法等が挙げられる。また、細胞外小胞の精製、分離、濃縮等は、市販のキットを用いて行うことも可能である。これらの方法は、1種単独で採用してもよいし、2種以上を組み合わせて採用してもよい。
【００３４】
工程（1）の検出対象は、タンパク質群（A）より選択される少なくとも1種のタンパク質（本明細書において、これらをまとめて「対象タンパク質」と示すこともある。）である。
【００３５】
タンパク質群（A）は、（A）Ig heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Collagen alpha-2(I) chain、Ig kappa chain V-IV region S107B、Trem-like transcript 1 protein、Disintegrin and metalloproteinase domain-containing protein 10、Platelet factor 4、Complement C1q subcomponent subunit B、Synaptosomal-associated protein 23、4F2 cell-surface antigen heavy chain、Src kinase-associated phosphoprotein 2、Pyridoxal phosphate phosphatase PHOSPHO2、Serine incorporator 3、Platelet glycoprotein Ib beta chain、Mucin-13、Integrin beta-2、[3-methyl-2-oxobutanoate dehydrogenase [lipoamide]] kinase, mitochondrial、Syntenin-1、EGF-containing fibulin-like extracellular matrix protein 1、Vesicle-associated membrane protein 8、Low-density lipoprotein receptor、Vesicle-associated membrane protein 3、C4b-binding protein、Transthyretin、Beta-2-microglobulin、Pituitary tumor-transforming gene 1 protein-interacting protein、Multimerin-1、Transferrin receptor protein 1、Plasma protease C1 inhibitor、Platelet glycoprotein IX、Platelet glycoprotein 4、Integrin alpha-IIb、H-2 class I histocompatibility antigen, Q10 alpha chain、Solute carrier family 2, facilitated glucose transporter member 3、Serum amyloid A-1 protein、Alpha-1-antitrypsin 1-5、Integrin alpha-6、Receptor-type tyrosine-protein phosphatase eta、Kininogen-1、Basigin、Tetraspanin-9、Transforming protein RhoA、Sodium-dependent serotonin transporter、Sushi, von Willebrand factor type A, EGF and pentraxin domain-containing protein 1、Destrin、Fibulin-2からなるタンパク質群である。
【００３６】
タンパク質群（A）は、組織線維化疾患特異的なバイオマーカーであり、これを指標とすることにより組織線維化疾患を鑑別可能である。
【００３７】
タンパク質群（A）の中でも、慢性閉塞性肺疾患非合併型の組織線維化疾患の鑑別が可能であるという観点から、好ましくはIg heavy chain V region 6.96、Laminin subunit alpha-2、Actin-related protein 2/3 complex subunit 5、Decorin、Galectin-related protein、Platelet-derived growth factor subunit B、Ig kappa chain V-III region PC 7183、Calnexin、Protein unc-13 homolog B、Calcium-transporting ATPase type 2C member 1、Oncoprotein-induced transcript 3 protein、Probable carboxypeptidase PM20D1、Properdin、Ig kappa chain V-IV region S107B、Src kinase-associated phosphoprotein 2、Pyridoxal phosphate phosphatase PHOSPHO2、 [3-methyl-2-oxobutanoate dehydrogenase [lipoamide]] kinase, mitochondrial、Syntenin-1、Low-density lipoprotein receptor、Pituitary tumor-transforming gene 1 protein-interacting protein、Transferrin receptor protein 1、Platelet glycoprotein 4、Serum amyloid A-1 protein、Kininogen-1、Transforming protein RhoA、Sushi, von Willebrand factor type A, EGF and pentraxin domain-containing protein 1、Destrin、Fibulin-2等が挙げられる。また、慢性閉塞性肺疾患合併型の組織線維化疾患鑑別が可能であるという観点から、好ましくは4F2 cell-surface antigen heavy chain、Alpha-1-antitrypsin 1-5、Alpha-2-antiplasmin、Alpha-2-macroglobulin、Amyloid beta A4 protein、Disintegrin and metalloproteinase domain-containing protein 10、Beta-2-microglobulin、Basigin、Bridging integrator 2、Complement C1q subcomponent subunit A、Complement C1q subcomponent subunit B、Complement C1q subcomponent subunit C、Complement C1r-A subcomponent、C4b-binding protein、Collagen alpha-1(I) chain、Collagen alpha-2(I) chain、Collagen alpha-2(IV) chain、Collagen alpha-2(VI) chain、Collagen alpha-1(XVIII) chain、Carboxypeptidase N subunit 2、Complement C1s-A subcomponent、Cytochrome c oxidase subunit 6B1、EGF-containing fibulin-like extracellular matrix protein 1、Platelet glycoprotein Ib beta chain、Platelet glycoprotein IX、Solute carrier family 2, facilitated glucose transporter member 3、H-2 class I histocompatibility antigen, Q10 alpha chain、Hippocalcin-like protein 1、Plasma protease C1 inhibitor、Interferon-induced transmembrane protein 2、Interferon-induced transmembrane protein 3、Integrin alpha-IIb、Integrin alpha-6、Integrin beta-2、Ig kappa chain V-V region MOPC 41、Laminin subunit gamma-1、Lymphocyte antigen 6E、Multimerin-1、Mucin-13、Myc target protein 1、Biglycan、Platelet factor 4、Receptor-type tyrosine-protein phosphatase eta、Sodium-dependent serotonin transporter、Serine incorporator 3、Synaptosomal-associated protein 23、Gamma-1-syntrophin、Serglycin、Trem-like transcript 1 protein、Tetraspanin-9、Thrombospondin-1、Transthyretin、Vesicle-associated membrane protein 3、及びVesicle-associated membrane protein 8等が挙げられる。
【００３８】
タンパク質群（A）の中でも、病勢をより反映している（肺線維化スコアとの相関がより高い）という観点からは、好ましくは、Platelet factor 4、Complement C1q subcomponent subunit B、Complement C1q subcomponent subunit A、Complement C1r-A subcomponent、Vesicle-associated membrane protein 8、Kininogen-1、Protein unc-13 homolog B、Ig heavy chain V region 6.96、Complement C1s-A subcomponent、Complement C1q subcomponent subunit C、Solute carrier family 2, facilitated glucose transporter member 3、Collagen alpha-1(XVIII) chain、Transferrin receptor protein 1、Collagen alpha-2(I) chain、Collagen alpha-2(VI) chain、Basigin、Interferon-induced transmembrane protein 3、Hippocalcin-like protein 1、Mucin-13、Platelet-derived growth factor subunit B、Plasma protease C1 inhibitor等が挙げられ、より好ましくはPlatelet factor 4、Complement C1q subcomponent subunit B、Complement C1q subcomponent subunit A等が挙げられる。
【００３９】
タンパク質群（A）の中でも、正常検体に対する量比がより高い（コントロールの発現量が確認できない場合も包含する）という観点からは、
好ましくはIg heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E、Fibulin-2等が挙げられ、より好ましくはIg heavy chain V region 6.96、Laminin subunit alpha-2、Actin-related protein 2/3 complex subunit 5、Decorin、Collagen alpha-1(XVIII) chain、Galectin-related protein、Cytochrome c oxidase subunit 6B1、Carboxypeptidase N subunit 2、Amyloid beta A4 protein、Fibulin-2等が挙げられる。
【００４０】
タンパク質群（A）の中でも、正常検体に対する量比がより高い（コントロールの発現量が確認できない場合は包含しない）という観点からは、
好ましくはDecorin、Collagen alpha-1(XVIII) chain、Galectin-related protein、Cytochrome c oxidase subunit 6B1、Carboxypeptidase N subunit 2、Amyloid beta A4 protein、Complement C1q subcomponent subunit C、Gamma-1-syntrophin、Biglycan、Collagen alpha-2(IV) chain、Ig kappa chain V-V region MOPC 41、Platelet-derived growth factor subunit B、Ig kappa chain V-III region PC 7183、Calnexin、Protein unc-13 homolog B、Calcium-transporting ATPase type 2C member 1、Myc target protein 1、Alpha-2-antiplasmin、Interferon-induced transmembrane protein 2、Bridging integrator 2、Complement C1s-A subcomponent、Thrombospondin-1、Collagen alpha-2(VI) chain、Laminin subunit gamma-1、Oncoprotein-induced transcript 3 protein、Complement C1r-A subcomponent、Hippocalcin-like protein 1、Alpha-2-macroglobulin、Complement C1q subcomponent subunit A、Probable carboxypeptidase PM20D1、Properdin、Serglycin、Interferon-induced transmembrane protein 3、Collagen alpha-1(I) chain、Lymphocyte antigen 6E等が挙げられ、より好ましくはDecorin、Collagen alpha-1(XVIII) chain、Galectin-related protein、Cytochrome c oxidase subunit 6B1、Carboxypeptidase N subunit 2、Amyloid beta A4 protein等が挙げられる。
【００４１】
タンパク質群（A）の中でも、病勢をより反映している（肺線維化スコアとの相関がより高い）という観点、及び正常検体に対する量比がより高いという観点からは、
好ましくはComplement C1q subcomponent subunit A、Complement C1r-A subcomponent、Protein unc-13 homolog B、Complement C1s-A subcomponent、Complement C1q subcomponent subunit C、Collagen alpha-1(XVIII) chain、Collagen alpha-2(VI) chain、Interferon-induced transmembrane protein 3、Hippocalcin-like protein 1、Platelet-derived growth factor subunit B等が挙げられる。
【００４２】
タンパク質群（A）のタンパク質は、マウスの場合であれば、後述の実施例における表1〜2に示されるUniProtKBアクセッション番号によって特定されるタンパク質である。他の生物種の場合であれば、表1〜2に示されるUniProtKBアクセッション番号によって特定されるタンパク質のオーソログである。
【００４３】
工程（1）における対象タンパク質の数は、1種のみでもよいが、2種以上の組み合わせであってもよい。より多く（例えば2種、5種、10種、20種、40種、80種、120種以上）の検出対象を組み合わせることにより、組織線維化疾患の検査、組織線維化疾患における慢性閉塞性肺疾患（COPD）の合併の鑑別等を、より性格に行うことが可能になる。
【００４４】
検出は、通常は、対象タンパク質の量又は濃度を測定することによって行われる。「濃度」とは、絶対濃度に限らず、相対濃度や、単位体積辺りの重量や、絶対濃度を知るために測定した生データなどでもよい。
【００４５】
対象タンパク質を検出する方法としては、対象タンパク質の一部又は全部を特異的に検出できる方法であれば特に制限されない。検出方法としては、具体的には、例えば、対象タンパク質を構成するペプチドを検出する質量分析法、対象タンパク質を特異的に認識する抗体を用いた免疫学的測定法等を挙げることができる。なお、対象タンパク質のアミノ酸配列情報は、UniProtKBアクセッション番号を基に、EBI（http://www.ebi.ac.uk/IPI/IPIhelp.html）のデータベースで検索することにより得ることができる。
【００４６】
免疫学的測定法としては、免疫組織化学染色法、ELISA法、サンドイッチELISA法、EIA法、RIA法、ウェスタンブロッティング法等を好適に例示することができる。
【００４７】
質量分析法とは、ペプチド試料を、イオン源を用いて気体状のイオンとし（イオン化）、分析部において、真空中で運動させ電磁気力を用いて、あるいは飛行時間差によりイオン化したペプチド試料を質量電荷比に応じて分離し、検出できる質量分析計を用いた測定方法のことをいい、イオン源を用いてイオン化する方法としては、EI法、CI法、FD法、FAB法、MALDI法、ESI法などの方法を適宜選択することができ、また、分析部において、イオン化したペプチド試料を分離する方法としては、磁場偏向型、四重極型、イオントラップ型、飛行時間（TOF）型、フーリエ変換イオンサイクロトロン共鳴型などの分離方法を適宜選択することができる。また、2以上の質量分析法を組み合わせたタンデム型質量分析（MS／MS）やトリプル四重極型質量分析を利用することができる。また、サンプルがリン酸化したペプチドを含む試料の場合、質量分析計へのサンプル導入前に、サンプルを鉄イオン固定化アフィニティークロマトグラフィー（Fe-IMAC）を用いて濃縮することができる。また、液体クロマトグラフ（LC）やHPLCにより、対象タンパク質を構成するペプチドを分離・精製してサンプルとすることができる。また、検出部やデータ処理方法も適宜選択することができる。なお、質量分析法を用いて対象タンパク質を構成するペプチドを質量分析法で検出・定量する場合、かかるペプチドと同一のアミノ酸配列からなる、濃度が既知の安定同位体で標識したペプチドを内部標準とすることができる。かかる安定同位体標識ペプチドとしては、検出する対象タンパク質を構成するペプチドにおけるアミノ酸の1個以上が、15N，13C，18O，及び2Hのいずれか1以上を含む安定同位体標識ペプチドであれば、アミノ酸の種類、位置、数などは適宜選択することができ、かかる安定同位体標識ペプチドは、安定同位元素により標識されたアミノ酸を用いてF-moc法（Amblard., et al. Methods Mol Biol.298:3-24(2005)）等の適当な手段で化学合成することができるが、iTRAQ（登録商標）試薬、ICAT（登録商標）試薬、ICPL（登録商標）試薬、NBS（登録商標）試薬などの標識試薬を用いて作製することもできる。
【００４８】
工程（1）を含む本発明の検査方法によれば、組織線維化疾患の検出指標である対象タンパク質の量及び／又は濃度を提供することができ、これにより組織線維化疾患の検出などを補助することができる。また、工程（1）を含む本発明の検査方法によれば、検出指標である対象タンパク質の量及び／又は濃度を提供することができ、これにより線維化の程度の評価を補助することもできる。線維化の評価は、急性増悪、予後不良群の鑑別等に利用し得る。
【００４９】
工程（1）を含む本発明の検査方法による検査結果は、組織線維化疾患の病態解明、組織線維化疾患の予後予測（呼吸機能低下群、急性憎悪）、患者の層別化、治療方法の選択（個別化医療、治療反応性）、組織リモデリングの評価、組織線維化疾患の組織型や表現型等の鑑別等に利用し得る。
【００５０】
1-2．工程（2）
本発明の検査方法は、一態様として、さらに、
（2）前記工程（1）で検出されたタンパク質の量又は濃度がカットオフ値以上である場合に、前記被検体が組織線維化疾患に罹患していると判定する工程（工程2）を含むことが好ましい。該工程2を含む本発明の検査方法によれば、組織線維化疾患を判定することが可能となる。
【００５１】
工程2は、より具体的には、例えば以下の（2a）〜（2e）に分けられる。
（2a）検出対象タンパク質が（Aa）Ig heavy chain V region 6.96、Laminin subunit alpha-2、Actin-related protein 2/3 complex subunit 5、Decorin、Galectin-related protein、Platelet-derived growth factor subunit B、Ig kappa chain V-III region PC 7183、Calnexin、Protein unc-13 homolog B、Calcium-transporting ATPase type 2C member 1、Oncoprotein-induced transcript 3 protein、Probable carboxypeptidase PM20D1、Properdin、Ig kappa chain V-IV region S107B、Src kinase-associated phosphoprotein 2、Pyridoxal phosphate phosphatase PHOSPHO2、 [3-methyl-2-oxobutanoate dehydrogenase [lipoamide]] kinase, mitochondrial、Syntenin-1、Low-density lipoprotein receptor、Pituitary tumor-transforming gene 1 protein-interacting protein、Transferrin receptor protein 1、Platelet glycoprotein 4、Serum amyloid A-1 protein、Kininogen-1、Transforming protein RhoA、Sushi, von Willebrand factor type A, EGF and pentraxin domain-containing protein 1、Destrin、及びFibulin-2からなる群より選択される少なくとも1種のタンパク質を含み、且つタンパク質群（Aa）からなる群より選択される少なくとも1種のタンパク質の量又は濃度がカットオフ値以上である場合に、前記被検体が慢性閉塞性肺疾患非合併型の組織線維化疾患に罹患していると判定する工程、並びに
（2b）検出対象タンパク質が（Ab）4F2 cell-surface antigen heavy chain、Alpha-1-antitrypsin 1-5、Alpha-2-antiplasmin、Alpha-2-macroglobulin、Amyloid beta A4 protein、Disintegrin and metalloproteinase domain-containing protein 10、Beta-2-microglobulin、Basigin、Bridging integrator 2、Complement C1q subcomponent subunit A、Complement C1q subcomponent subunit B、Complement C1q subcomponent subunit C、Complement C1r-A subcomponent、C4b-binding protein、Collagen alpha-1(I) chain、Collagen alpha-2(I) chain、Collagen alpha-2(IV) chain、Collagen alpha-2(VI) chain、Collagen alpha-1(XVIII) chain、Carboxypeptidase N subunit 2、Complement C1s-A subcomponent、Cytochrome c oxidase subunit 6B1、EGF-containing fibulin-like extracellular matrix protein 1、Platelet glycoprotein Ib beta chain、Platelet glycoprotein IX、Solute carrier family 2, facilitated glucose transporter member 3、H-2 class I histocompatibility antigen, Q10 alpha chain、Hippocalcin-like protein 1、Plasma protease C1 inhibitor、Interferon-induced transmembrane protein 2、Interferon-induced transmembrane protein 3、Integrin alpha-IIb、Integrin alpha-6、Integrin beta-2、Ig kappa chain V-V region MOPC 41、Laminin subunit gamma-1、Lymphocyte antigen 6E、Multimerin-1、Mucin-13、Myc target protein 1、Biglycan、Platelet factor 4、Receptor-type tyrosine-protein phosphatase eta、Sodium-dependent serotonin transporter、Serine incorporator 3、Synaptosomal-associated protein 23、Gamma-1-syntrophin、Serglycin、Trem-like transcript 1 protein、Tetraspanin-9、Thrombospondin-1、Transthyretin、Vesicle-associated membrane protein 3、及びVesicle-associated membrane protein 8からなる群より選択される少なくとも1種のタンパク質を含み、且つタンパク質群（Ab）からなる群より選択される少なくとも1種のタンパク質の量又は濃度がカットオフ値以上である場合に、前記被検体が慢性閉塞性肺疾患合併型の組織線維化疾患に罹患していると判定する工程。
【００５２】
工程（2）は、より好ましくは上記工程2a〜2bからなる群より選択される少なくとも1種の工程である。
【００５３】
カットオフ値は、感度、特異度、陽性的中率、陰性的中率などの観点から当業者が適宜設定することができ、例えば、組織線維化疾患に罹患していない被検体から採取された体液の細胞外小胞における対象タンパク質の量及び／又は濃度に基づいて、その都度定められた値、或いは予め定められた値とすることができる。カットオフ値は、例えば、組織線維化疾患に罹患していない被検体から採取された体液の細胞外小胞における対象タンパク質の量及び／又は濃度（被検体が複数の場合は、平均値、中央値など）の、例えば1.5〜8倍、好ましくは2〜5倍、より好ましくは2.5〜3.5倍の値とすることができる。
【００５４】
工程（2）のより好ましい態様においては、組織線維化疾患の病勢を反映しているバイオマーカーを用いることにより、前記工程（1）で検出されたタンパク質の量又は濃度がカットオフ値以上である場合に、前記被検体がより病勢の強い組織線維化疾患に罹患していると判定することができる。この場合、カットオフ値を、例えば組織線維化疾患に罹患している被検体から採取された体液の細胞外小胞における対象タンパク質の量及び／又は濃度に基づいた値とすることにより、一定以上の病勢であるかどうかを評価できる。或いは、被検体が組織線維化疾患の治療中の検体である場合、カットオフ値を、例えば同一検体についての過去の試料における対象タンパク質の量及び／又は濃度に基づいた値とすることにより、治療効果を判定することができる。
【００５５】
さらに、工程（2）のより好ましい態様においては、線維化の程度と相関しているバイオマーカーを用いることにより、前記工程（1）で検出されたタンパク質の量又は濃度を指標として、線維化の程度を判定することができる。より具体的には、例えば、予め線維化スコアとバイオマーカーの量又は濃度との相関に基づいた検量線を作成し、測定されたバイオマーカーの量又は濃度と検量線から、線維化の程度（例えば線維化スコア等）を判定又は予測することができる。
【００５６】
2．組織線維化疾患のより高い精度での診断
工程（2）を含む本発明の検査方法により、被検体が組織線維化疾患に罹患していると判定された場合、本発明の検査方法に、さらに組織線維化疾患の医師による診断を適用する工程を組み合わせることによって、より高い精度で組織線維化疾患を診断することができる。また、本発明の検査方法はより正確に組織線維化疾患を検出できるので、本発明の検査方法に上記工程を組み合わせることによって、より効率的且つより正確に「組織線維化疾患に罹患している」と診断できる。
【００５７】
3．組織線維化疾患の治療
工程（2）を含む本発明の検査方法により被検体が組織線維化疾患に罹患していると判定された場合は本発明の検査方法に対してさらに、或いは上記「2．組織線維化疾患のより高い精度での診断」に記載の様に組織線維化疾患に罹患していると診断された場合は本発明の検査方法と医師による診断を適用する工程との組合せに対してさらに、（3）組織線維化疾患に罹患していると判定又は診断された被検体に対して、該疾患の治療を行う工程を行うことによって、被検体の該疾患を治療することが可能となる。また、本発明の検査方法はより正確に組織線維化疾患を検出できるので、本発明の検査方法に対して、或いは本発明の検査方法と医師による診断を適用する工程との組合せに対して工程3を組み合わせることによって、組織線維化疾患に罹患している被検体をより効率的に、より確実に治療できる。
【００５８】
組織線維化疾患の治療方法は、特に制限されないが、代表的には投薬治療が挙げられる。投薬治療に用いる医薬としては、特に制限されないが、例えばピレスパ等の抗線維化剤；  ステロイド；  免疫抑制剤等が挙げられる。また、慢性閉塞性肺疾患を合併している場合であれば、さらに、例えばスピリーバ、シーブリ、エンクラッセ、エクリラ、アトロベント、テルシガン等の抗コリン薬；  セレベント、オンブレス、オーキシス、サルタノール、メプチン等のβ2刺激薬；  ウルティブロ、アノーロ、スピオルト等の抗コリン薬・β2刺激薬配合剤；  キュバール、フルタイド、パルミコート、オルベスコ、アズマネックス等のステロイド薬；  アドエア、シムビコート、レルベア等のステロイド薬・β2刺激薬配合剤等を併用することもできる。医薬は、1種、2種、又は3種以上を組み合わせて用いることができる。
【００５９】
4．組織線維化疾患の検査薬
本発明は、その一態様において、タンパク質群（A）より選択される少なくとも1種のタンパク質の検出剤を含む、組織線維化疾患の検査薬（本明細書において、「本発明の検査薬」と示すこともある。）に関する。以下、これについて説明する。
【００６０】
タンパク質群（A）、組織線維化疾患等については、上記「1．組織線維化疾患の検査方法」における定義と同様である。
【００６１】
検出剤は、対象タンパク質を特異的に検出できるものである限り特に制限されない。該検出剤としては、例えば対象タンパク質に対する抗体が挙げられる。検出剤は、標識されたものであってもよい。標識としては、例えば蛍光物質、発光物質、色素、酵素、金コロイド、放射性同位体などが挙げられる。また、検出剤（特に抗体）は、基材（例えばマイクロウェルプレート等のプラスチック基材）に吸着した状態であってもよい。
【００６２】
抗体は、対象タンパク質を選択的に（特異的に）認識するものであれば、特に限定されない。ここで、「選択的に（特異的に）認識する」とは、例えばウェスタンブロット法やELISA法において、対象タンパク質が特異的に検出できることを意味するが、それに限定されることなく、当業者が上記検出物が対象タンパク質に由来するものであると判断できるものであればよい。
【００６３】
抗体には、ポリクローナル抗体、モノクローナル抗体、キメラ抗体、一本鎖抗体、またはFabフラグメントやFab発現ライブラリーによって生成されるフラグメントなどのように抗原結合性を有する上記抗体の一部が包含される。対象タンパク質のアミノ酸配列のうち少なくとも連続する、通常8アミノ酸、好ましくは15アミノ酸、より好ましくは20アミノ酸からなるポリペプチドに対して抗原結合性を有する抗体も、本発明の抗体に含まれる。
【００６４】
これらの抗体の製造方法は、すでに周知であり、本発明の抗体もこれらの常法に従って製造することができる（Current protocols in Molecular Biology , Chapter 11.12〜11.13(2000)）。具体的には、本発明の抗体がポリクローナル抗体の場合には、常法に従って大腸菌等で発現し精製した対象タンパク質を用いて、あるいは常法に従って当該対象タンパク質の部分アミノ酸配列を有するオリゴペプチドを合成して、家兎等の非ヒト動物に免疫し、該免疫動物の血清から常法に従って得ることが可能である。一方、モノクローナル抗体の場合には、常法に従って大腸菌等で発現し精製した対象タンパク質、あるいは対象タンパク質の部分アミノ酸配列を有するオリゴペプチドをマウス等の非ヒト動物に免疫し、得られた脾臓細胞と骨髄腫細胞とを細胞融合させて調製したハイブリドーマ細胞の中から得ることができる（Current protocols in Molecular Biology edit. Ausubel et al. (1987) Publish. John Wiley and Sons. Section 11.4〜11.11）。
【００６５】
抗体の作製に免疫抗原として使用される対象タンパク質は、公知の遺伝子配列情報に基づいて、DNAクローニング、各プラスミドの構築、宿主へのトランスフェクション、形質転換体の培養および培養物からのタンパク質の回収の操作により得ることができる。これらの操作は、当業者に既知の方法、あるいは文献記載の方法（Molecular Cloning, T.Maniatis et al., CSH Laboratory (1983), DNA Cloning, DM. Glover, IRL PRESS (1985)）などに準じて行うことができる。
【００６６】
具体的には、対象タンパク質をコードする遺伝子が所望の宿主細胞中で発現できる組み換えDNA（発現ベクター）を作製し、これを宿主細胞に導入して形質転換し、該形質転換体を培養して、得られる培養物から、目的タンパク質を回収することによって、本発明抗体の製造のための免疫抗原としてのタンパク質を得ることができる。また対象タンパク質の部分ペプチドは、公知の遺伝子配列情報に従って、一般的な化学合成法（ペプチド合成）によって製造することもできる。
【００６７】
また本発明の抗体は、対象タンパク質の部分アミノ酸配列を有するオリゴペプチドを用いて調製されるものであってよい。かかる抗体の製造のために用いられるオリゴ（ポリ）ペプチドは、機能的な生物活性を有することは要しないが、対象タンパク質と同様な免疫原特性を有するものであることが望ましい。好ましくはこの免疫原特性を有し、且つ対象タンパク質のアミノ酸配列において少なくとも連続する8アミノ酸、好ましくは15アミノ酸、より好ましくは20アミノ酸からなるオリゴ（ポリ）ペプチドを例示することができる。
【００６８】
かかるオリゴ（ポリ）ペプチドに対する抗体の製造は、宿主に応じて種々のアジュバントを用いて免疫学的反応を高めることによって行うこともできる。限定はされないが、そのようなアジュバントには、フロイントアジュバント、水酸化アルミニウムのようなミネラルゲル、並びにリゾレシチン、プルロニックポリオル、ポリアニオン、ペプチド、油乳剤、キーホールリンペットヘモシアニン及びジニトロフェノールのような表面活性物質、BCG（カルメット−ゲラン桿菌）やコリネバクテリウム-パルヴムなどのヒトアジュバントが含まれる。
【００６９】
本発明の検査薬は、組成物の形態であってもよい。該組成物には、必要に応じて他の成分が含まれていてもよい。他の成分としては、例えば基剤、担体、溶剤、分散剤、乳化剤、緩衝剤、安定剤、賦形剤、結合剤、崩壊剤、滑沢剤、増粘剤、保湿剤、着色料、香料、キレート剤等が挙げられる。
【００７０】
本発明の検査薬は、キットの形態であってもよい。該キットには、上記検出剤或いはこれを含む上記組成物のほかに、被検体の体液の細胞外小胞における対象タンパク質の検出に使用し得るものを含んでいてもよい。このようなものの具体例としては、各種試薬（例えば二次抗体、緩衝液等）、器具（例えば細胞外小胞の精製、分離、濃縮用器具（例えばカラム等））等が挙げられる。
【００７１】
5．組織線維化疾患モデル動物のスクリーニング方法
本発明は、その一態様において、組織線維化疾患誘発処理された動物から採取された体液の細胞外小胞における、タンパク質群（A）より選択される少なくとも1種のタンパク質の量又は濃度を指標とする、組織線維化疾患モデル動物のスクリーニング方法（本明細書において、「本発明のモデル動物スクリーニング方法」と示すこともある。）に関する。以下、これについて説明する。
【００７２】
体液、細胞外小胞、タンパク質群（A）、組織線維化疾患、対象タンパク質の量又は濃度の測定等については、上記「1．組織線維化疾患の検査方法」における定義と同様である。
【００７３】
動物は、スクリーニング対象動物であり、その生物種はヒト以外の動物である限り特に制限されない。該動物の生物種としては、例えばサル、マウス、ラット、イヌ、ネコ、ウサギなどの種々の哺乳類動物が挙げられ、好ましくはマウスが挙げられる。
【００７４】
組織線維化疾患誘発処理は、組織線維化疾患を誘発できる処理である限り、特に制限されない。例えばブレオマイシン、シリカ等の誘発剤を投与（例えば経鼻投与、経口投与、吸入投与、経気管支投与、腹空内投与、静脈投与、経皮投与等、好適には経鼻投与）することによって、遺伝子改変処理をすることによって、或いは放射線処理することによって、誘発処理が行われる。
【００７５】
本発明のモデル動物スクリーニング方法は、より具体的には、上記指標の値がカットオフ値以上である場合に、前記動物を組織線維化疾患モデル動物（或いは組織線維化疾患モデル候補動物）として選択する工程を含む。
【００７６】
カットオフ値は、スクリーニングの精度などの観点から当業者が適宜設定することができ、例えば、組織線維化疾患誘発処理していない動物から採取された体液の細胞外小胞における対象タンパク質の量及び／又は濃度に基づいて、その都度定められた値、或いは予め定められた値とすることができる。カットオフ値は、例えば、組織線維化疾患誘発処理していない動物から採取された体液の細胞外小胞における対象タンパク質の量及び／又は濃度（被検体が複数の場合は、平均値、中央値など）の、例えば1〜10倍、好ましくは2〜8倍、より好ましくは2.5〜6倍の値とすることができる。
【００７７】
6．組織線維化疾患の予防又は治療剤
本発明は、その一態様において、タンパク質群（A）より選択される少なくとも1種のタンパク質の抑制剤を含有する、組織線維化疾患の予防又は治療剤（本明細書において、「本発明の剤」と示すこともある。）に関する。以下、これについて説明する。
【００７８】
タンパク質群（A）等については、上記「1．組織線維化疾患の検査方法」における定義と同様である。
【００７９】
対象タンパク質としては、好ましくは対象タンパク質の発現抑制剤が挙げられる。
【００８０】
対象タンパク質の発現抑制剤としては、対象タンパク質、そのmRNAなどの発現量を抑制し得るものである限り特に制限されず、例えば対象タンパク質の遺伝子特異的small interfering RNA（siRNA）、対象タンパク質の遺伝子特異的microRNA（miRNA）、対象タンパク質の遺伝子特異的アンチセンス核酸、これらの発現ベクター；  対象タンパク質の遺伝子特異的リボザイム；  CRISPR/Casシステムによる対象タンパク質の遺伝子編集剤、ゲノム編集剤などが挙げられる。
【００８１】
なお、発現抑制とは、対象タンパク質、そのmRNAなどの発現量を、例えば1/2、1/3、1/5、1/10、1/20、1/30、1/50、1/100、1/200、1/300、1/500、1/1000、1/10000以下に抑制することを意味し、これらの発現量を0とすることをも包含する。
【００８２】
対象タンパク質の遺伝子siRNAは、対象タンパク質をコードする遺伝子の発現を特異的に抑制する二本鎖RNA分子である限り特に制限されない。一実施形態において、siRNAは、例えば、18塩基以上、19塩基以上、20塩基以上、又は21塩基以上の長さであることが好ましい。また、siRNAは、例えば、25塩基以下、24塩基以下、23塩基以下、又は22塩基以下の長さであることが好ましい。ここに記載するsiRNAの長さの上限値及び下限値は任意に組み合わせることが想定される。例えば、下限が18塩基であり、上限が25塩基、24塩基、23塩基、又は22塩基である長さ；下限が19塩基であり、上限が25塩基、24塩基、23塩基、又は22塩基である長さ；下限が20塩基であり、上限が25塩基、24塩基、23塩基、又は22塩基である長さ；下限が21塩基であり、上限が25塩基、24塩基、23塩基、又は22塩基である長さの組み合わせが想定される。
【００８３】
siRNAは、shRNA(small hairpin RNA)であっても良い。shRNAは、その一部がステムループ構造を形成するように設計することができる。例えば、shRNAは、ある領域の配列を配列aとし、配列aに対する相補鎖を配列bとすると、配列a、スペーサー、配列bの順になるようにこれらの配列が一本のRNA鎖に存在するようにし、全体で45〜60塩基の長さとなるように設計することができる。配列aは、標的となる対象タンパク質をコードする塩基配列の一部の領域の配列であり、標的領域は特に限定されず、任意の領域を候補にすることが可能である。そして配列aの長さは19〜25塩基、好ましくは19〜21塩基である。
【００８４】
対象タンパク質の遺伝子特異的siRNAは、5’又は3’末端に、付加的な塩基を有していてもよい。該付加的塩基の長さは、通常2〜4塩基程度である。該付加的塩基は、DNAでもRNAでもよいが、DNAを用いると核酸の安定性を向上させることができる場合がある。このような付加的塩基の配列としては、例えばug-3’、uu-3’、tg-3’、tt-3’、ggg-3’、guuu-3’、gttt-3’、ttttt-3’、uuuuu-3’などの配列が挙げられるが、これらに限定されるものではない。
【００８５】
siRNAは、3'末端に突出部配列（オーバーハング）を有していてもよく、具体的には、dTdT（dTはデオキシチミジンを表わす）を付加したものが挙げられる。また、末端付加がない平滑末端（ブラントエンド）であってもよい。siRNAは、センス鎖とアンチセンス鎖が異なる塩基数であってもよく、例えば、アンチセンス鎖が3'末端及び5'末端に突出部配列（オーバーハング）を有している「asymmetrical interfering RNA（aiRNA）」を挙げることができる。典型的なaiRNAは、アンチセンス鎖が21塩基からなり、センス鎖が15塩基からなり、アンチセンス鎖の両端で各々3塩基のオーバーハング構造をとる。
【００８６】
対象タンパク質の遺伝子特異的siRNAの標的配列の位置は特に制限されるわけではないが、一実施形態において、5’-UTR及び開始コドンから約50塩基まで、並びに3’-UTR以外の領域から標的配列を選択することが望ましい。選択された標的配列の候補群について、標的以外のmRNAにおいて16-17塩基の連続した配列に相同性がないかどうかを、BLAST（http://www.ncbi.nlm.nih.gov/BLAST/）などのホモロジー検索ソフトを用いて調べ、選択した標的配列の特異性を確認することが好ましい。特異性が確認された標的配列について、AA（もしくはNA）以降の19−21塩基にTTもしくはUUの3’末端オーバーハングを有するセンス鎖と、該19−21塩基に相補的な配列及びTTもしくはUUの3’末端オーバーハングを有するアンチセンス鎖とからなる2本鎖RNAをsiRNAとして設計してもよい。また、siRNAの前駆体であるshRNAは、ループ構造を形成しうる任意のリンカー配列（例えば、5-25塩基程度）を適宜選択し、上記センス鎖とアンチセンス鎖とを該リンカー配列を介して連結することにより設計することができる。
【００８７】
siRNA及び／又はshRNAの配列は、種々のwebサイト上に無料で提供される検索ソフトを用いて検索が可能である。このようなサイトとしては、例えば、以下を挙げることができる。
Ambionが提供するsiRNA Target Finder（http://www.ambion.com/jp/techlib/misc/siRNA_finder.html）pSilencer（登録商標）Expression Vector用インサートデザインツール（http://www.ambion.com/jp/techlib/misc/psilencer_converter.html）RNAi Codexが提供するGeneSeer（http://codex.cshl.edu/scripts/newsearchhairpin.cgi）。
【００８８】
siRNAは、mRNA上の標的配列のセンス鎖及びアンチセンス鎖をDNA/RNA自動合成機でそれぞれ合成し、適当なアニーリング緩衝液中、約90〜約95℃で約1分程度変性させた後、約30〜約70℃で約1〜約8時間アニーリングさせることにより調製することができる。また、siRNAの前駆体となるshRNAを合成し、これを、RNA切断タンパク質ダイサー（dicer）を用いて切断することにより調製することもできる。
【００８９】
対象タンパク質の遺伝子特異的miRNAは、対象タンパク質をコードする遺伝子の翻訳を阻害する限り任意である。例えば、miRNAは、siRNAのように標的mRNAを切断するのではなく、標的の3’非翻訳領域（UTR）に対合してその翻訳を阻害してもよい。miRNAは、pri-miRNA（primary miRNA）、pre-miRNA（precursor miRNA）、及び成熟miRNAのいずれでもよい。miRNAの長さは特に制限されず、pri-miRNAの長さは通常数百〜数千塩基であり、pre-miRNAの長さは通常50〜80塩基であり、成熟miRNAの長さは通常18〜30塩基である。一実施形態において、対象タンパク質の遺伝子特異的miRNAは、好ましくはpre-miRNA又は成熟miRNAであり、より好ましくは成熟miRNAである。このような対象タンパク質の遺伝子特異的miRNAは、公知の手法で合成してもよく、合成RNAを提供する会社から購入してもよい。
【００９０】
対象タンパク質の遺伝子特異的アンチセンス核酸とは、対象タンパク質をコードする遺伝子のmRNAの塩基配列と相補的もしくは実質的に相補的な塩基配列又はその一部を含む核酸であって、該mRNAと特異的かつ安定した二重鎖を形成して結合することにより、対象タンパク質合成を抑制する機能を有する核酸である。アンチセンス核酸はDNA、RNA、DNA/RNAキメラのいずれでもよい。アンチセンス核酸がDNAの場合、標的RNAとアンチセンスDNAとによって形成されるRNA:DNAハイブリッドは、内在性リボヌクレアーゼH（RNase H）に認識されて標的RNAの選択的な分解を引き起こす。したがって、RNase Hによる分解を指向するアンチセンスDNAの場合、標的配列は、mRNA中の配列だけでなく、対象タンパク質の遺伝子の初期翻訳産物におけるイントロン領域の配列であってもよい。イントロン配列は、ゲノム配列と、対象タンパク質の遺伝子のcDNA塩基配列とをBLAST、FASTAなどのホモロジー検索プログラムを用いて比較することにより、決定することができる。
【００９１】
対象タンパク質の遺伝子特異的アンチセンス核酸の標的領域は、該アンチセンス核酸がハイブリダイズすることにより、結果として対象タンパク質への翻訳が阻害されるものであればその長さは制限されない。対象タンパク質の遺伝子特異的アンチセンス核酸は、対象タンパク質をコードするmRNAの全配列であっても部分配列であってもよい。合成の容易さや抗原性、細胞内移行性の問題などを考慮すれば、約10〜約40塩基、特に約15〜約30塩基からなるオリゴヌクレオチドが好ましいが、これらに限定されるものではない。より具体的には、対象タンパク質の遺伝子の5’端ヘアピンループ、5’端非翻訳領域、翻訳開始コドン、タンパク質コード領域、ORF翻訳終止コドン、3’端非翻訳領域、3’端パリンドローム領域又は3’端ヘアピンループなどをアンチセンス核酸の好ましい標的領域として選択しうるが、それらに限定されるものではない。
【００９２】
対象タンパク質の遺伝子特異的アンチセンス核酸は、対象タンパク質の遺伝子のmRNAや初期転写産物とハイブリダイズしてタンパク質への翻訳を阻害するだけでなく、二本鎖DNAであるこれらの遺伝子と結合して三重鎖（トリプレックス）を形成し、RNAへの転写を阻害し得るもの（アンチジーン（antigene））であってもよい。
【００９３】
上記した対象タンパク質の遺伝子特異的siRNA、対象タンパク質の遺伝子特異的miRNA、及び対象タンパク質の遺伝子特異的アンチセンス核酸を構成するヌクレオチド分子は、安定性（化学的及び／又は対酵素）や比活性（RNAとの親和性）を向上させるために、種々の化学修飾を含んでもよい。例えば、ヌクレアーゼなどの加水分解酵素による分解を防ぐために、アンチセンス核酸を構成する各ヌクレオチドのリン酸残基（ホスフェート）を、例えば、ホスホロチオエート（phosphorothioate; PS)、メチルホスホネート（methylphosphonate）、ホスホロジチオネート（phosphorodithioate）などの化学修飾リン酸残基に置換することができる。また、各ヌクレオチドの糖（リボース）の2’位の水酸基を、-OR（R=CH3（2’-O-Me）、CH2CH2OCH3（2’-O-MOE）、CH2CH2NHC(NH)NH2、CH2CONHCH3、又はCH2CH2CNなど）に置換してもよい。さらに、塩基部分（ピリミジン、プリン）に化学修飾を施してもよく、例えば、ピリミジン塩基の5位へのメチル基やカチオン性官能基の導入、あるいは2位のカルボニル基のチオカルボニルへの置換などを施してもよい。また、siRNAやmiRNAを構成するヌクレオチド分子の一部は、天然型のDNAに置換されていてもよい。
【００９４】
対象タンパク質の遺伝子特異的siRNA、対象タンパク質の遺伝子特異的miRNA、及び対象タンパク質の遺伝子特異的アンチセンス核酸などは、対象タンパク質の遺伝子のcDNA配列もしくはゲノミックDNA配列に基づいてmRNAもしくは初期転写産物の標的配列を決定し、市販のDNA/RNA自動合成機を用いて、これに相補的な配列を合成することにより調製することができる。また、上記した各種修飾を含むアンチセンス核酸も、いずれも公知の手法により、化学的に合成することができる。
【００９５】
対象タンパク質の遺伝子特異的siRNA、対象タンパク質の遺伝子特異的miRNA、又は対象タンパク質の遺伝子特異的アンチセンス核酸の発現ベクターについては、対象タンパク質の遺伝子特異的siRNA、対象タンパク質の遺伝子特異的miRNA、又は対象タンパク質の遺伝子特異的アンチセンス核酸が発現可能な状態で組み込まれている限りにおいて特に限定されない。典型的には、該発現ベクターは、プロモーター配列、及び対象タンパク質の遺伝子特異的siRNA、対象タンパク質の遺伝子特異的miRNA、又は対象タンパク質の遺伝子特異的アンチセンス核酸のコード配列（必要に応じて、さらに転写終結シグナル配列）を含むポリヌクレオチド、必要に応じて他の配列を含む。プロモーターは、特に制限されず、例えばCMVプロモーター、EF1プロモーター、SV40プロモーター、MSCVプロモーター、hTERTプロモーター、βアクチンプロモーター、CAGプロモーターなどのRNA polymerase II（polII）系プロモーター；  マウス及びヒトのU6-snRNAプロモーター、ヒトH1-RNase P RNAプロモーター、ヒトバリン-tRNAプロモーターなどのRNA polymerase III（polIII）系プロモーターなどが挙げられ、これらの中でも、短いRNAの転写を正確に行うことができるという観点から、polIII系プロモーターが好ましい。他の配列としては、特に制限されず、発現ベクターが含み得る公知の配列を各種採用することができる。このような配列の一例としては、例えば複製起点、薬剤耐性遺伝子などが挙げられる。また、薬剤耐性遺伝子の種類及びベクターの種類は上述のものを例示できる。
【００９６】
対象タンパク質の遺伝子発現抑制剤の別の例としては、対象タンパク質の遺伝子特異的リボザイムなどが挙げられる。「リボザイム」とは、狭義には、核酸を切断する酵素活性を有するRNAを意味するが、本願では配列特異的な核酸切断活性を有する限りDNAをも包含する。リボザイム核酸として最も汎用性の高いものは、ウイロイドやウイルソイドなどの感染性RNAに見られるセルフスプライシングRNAがあり、ハンマーヘッド型やヘアピン型などが知られている。ハンマーヘッド型は約40塩基程度で酵素活性を発揮し、ハンマーヘッド構造をとる部分に隣接する両端の数塩基ずつ（合わせて約10塩基程度）をmRNAの所望の切断部位と相補的な配列にすることにより、標的mRNAのみを特異的に切断することが可能である。このタイプのリボザイム核酸は、RNAのみを基質とするので、ゲノムDNAを攻撃することがないという利点を有する。対象タンパク質の遺伝子のmRNAが自身で二本鎖構造をとる場合には、RNAヘリカーゼと特異的に結合し得るウイルス核酸由来のRNAモチーフを連結したハイブリッドリボザイムを用いることにより、標的配列を一本鎖にすることができる［Proc. Natl. Acad. Sci. USA, 98(10): 5572-5577 (2001)］。さらに、リボザイムを、それをコードするDNAを含む発現ベクターの形態で使用する場合には、転写産物の細胞質への移行を促進するために、tRNAを改変した配列をさらに連結したハイブリッドリボザイムとすることもできる［Nucleic Acids Res., 29(13): 2780-2788 (2001)］。
【００９７】
本発明の剤の適用対象は特に限定されず、例えば、ヒト、サル、マウス、ラット、イヌ、ネコ、ウサギ、ブタ、ウマ、ウシ、ヒツジ、ヤギ、シカなどの種々の哺乳類動物などが挙げられる。
【００９８】
本発明の剤の形態は、特に限定されず、本発明の剤の用途に応じて、各用途において通常使用される形態をとることができる。
【００９９】
形態としては、用途が医薬、健康増進剤、栄養補助剤（サプリメントなど）などである場合は、例えば錠剤（口腔内側崩壊錠、咀嚼可能錠、発泡錠、トローチ剤、ゼリー状ドロップ剤などを含む）、丸剤、顆粒剤、細粒剤、散剤、硬カプセル剤、軟カプセル剤、ドライシロップ剤、液剤（ドリンク剤、懸濁剤、シロップ剤を含む）、ゼリー剤などの経口摂取に適した製剤形態（経口製剤形態）、点鼻剤、吸入剤、肛門坐剤、挿入剤、浣腸剤、ゼリー剤、注射剤、貼付剤、ローション剤、クリーム剤などの非経口摂取に適した製剤形態（非経口製剤形態）が挙げられる。
【０１００】
形態としては、用途が食品組成物の場合は、液状、ゲル状あるいは固形状の食品、例えばジュース、清涼飲料、茶、スープ、豆乳、サラダ油、ドレッシング、ヨーグルト、ゼリー、プリン、ふりかけ、育児用粉乳、ケーキミックス、粉末状または液状の乳製品、パン、クッキーなどが挙げられる。
【０１０１】
形態としては、用途が口腔用組成物である場合は、例えば液体（溶液、乳液、懸濁液など）、半固体（ゲル、クリーム、ペーストなど）、固体（錠剤、粒子状剤、カプセル剤、フィルム剤、混練物、溶融固体、ロウ状固体、弾性固体など）などの任意の形態、より具体的には、歯磨剤（練歯磨、液体歯磨、液状歯磨、粉歯磨など）、洗口剤、塗布剤、貼付剤、口中清涼剤、食品（例えば、チューインガム、錠菓、キャンディ、グミ、フィルム、トローチなど）などが挙げられる。
【０１０２】
本発明の剤は、必要に応じてさらに他の成分を含んでいてもよい。他の成分としては、例えば医薬、食品組成物、口腔用組成物、健康増進剤、栄養補助剤（サプリメントなど）などに配合され得る成分である限り特に限定されるものではないが、例えば基剤、担体、溶剤、分散剤、乳化剤、緩衝剤、安定剤、賦形剤、結合剤、崩壊剤、滑沢剤、増粘剤、保湿剤、着色料、香料、キレート剤などが挙げられる。
【０１０３】
本発明の剤の対象タンパク質の抑制剤の含有量は、抑制剤の種類、用途、使用態様、適用対象、適用対象の状態などに左右されるものであり、限定はされないが、例えば0.0001〜100重量％、好ましくは0.001〜50重量％とすることができる。
【０１０４】
本発明の組成物の適用（例えば、投与、摂取、接種など）量は、薬効を発現する有効量であれば特に限定されず、通常は、有効成分の重量として、一般に一日あたり0.1〜1000 mg/kg体重である。上記投与量は1日1回又は2〜3回に分けて投与するのが好ましく、年齢、病態、症状により適宜増減することもできる。
【０１０５】
7．組織線維化疾患の予防又は治療剤の有効成分のスクリーニング方法
本発明は、その一態様において、被検物質で処理された動物から採取された体液の細胞外小胞における、タンパク質群（A）より選択される少なくとも1種のタンパク質の量又は濃度を指標とする、組織線維化疾患の予防又は治療剤の有効成分のスクリーニング方法（本明細書において、「本発明の有効成分スクリーニング方法」と示すこともある。）に関する。以下、これについて説明する。
【０１０６】
体液、細胞外小胞、タンパク質群（A）、組織線維化疾患、対象タンパク質の量又は濃度の測定等については、上記「1．組織線維化疾患の検査方法」における定義と同様である。
【０１０７】
動物の生物種は特に制限されない。動物の生物種としては、例えばヒト、サル、マウス、ラット、イヌ、ネコ、ウサギなどの種々の哺乳類動物が挙げられ、好ましくはマウスが挙げられる。
【０１０８】
被検物質としては、天然に存在する化合物又は人工に作られた化合物を問わず広く使用することができる。また、精製された化合物に限らず、多種の化合物を混合した組成物や、動植物の抽出液も使用することができる。化合物には、低分子化合物に限らず、タンパク質、核酸、多糖類等の高分子化合物も包含される。
【０１０９】
本発明の有効成分スクリーニング方法は、より具体的には、上記指標の値が、被検物質で処理されていない動物から採取された体液の細胞外小胞における対応タンパク質の量又は濃度（対照値）よりも低い場合に、前記被検物質を組織線維化疾患の予防又は治療剤の有効成分（或いは、組織線維化疾患の予防又は治療剤の有効成分の候補物質）として選択する工程を含む。
【０１１０】
対応タンパク質とは、指標としている対象タンパク質と同じタンパク質を意味する。
【０１１１】
「低い」とは、例えば指標の値が、対照値の1/2、1/5、1/10、1/20、1/50、1/100であることを意味する。
【０１１２】
8．組織線維化疾患の誘発性又は増悪性の評価方法
本発明は、その一態様において、被検物質で処理された動物から採取された体液の細胞外小胞における、タンパク質群（A）より選択される少なくとも1種のタンパク質の量又は濃度を指標とする、組織線維化疾患の誘発性又は増悪性の評価方法（本明細書において、「本発明の毒性評価方法」と示すこともある。）に関する。以下、これについて説明する。
【０１１３】
体液、細胞外小胞、タンパク質群（A）、組織線維化疾患、対象タンパク質の量又は濃度の測定、動物の生物種、被検物質等については、上記「1．組織線維化疾患の検査方法」及び「7．組織線維化疾患の予防又は治療剤の有効成分のスクリーニング方法」における定義と同様である。
【０１１４】
本発明の毒性評価方法は、より具体的には、上記指標の値が、被検物質で処理されていない動物から採取された体液の細胞外小胞における対応タンパク質の量又は濃度（対照値）よりも高い場合に、前記被検物質を組織線維化疾患の誘発性又は増悪性があると判定する工程を含む。
【０１１５】
対応タンパク質とは、指標としている対象タンパク質と同じタンパク質を意味する。
【０１１６】
「高い」とは、例えば指標の値が、対照値の2倍、5倍、10倍、20倍、50倍、100倍であることを意味する。
【実施例】
【０１１７】
以下に、実施例に基づいて本発明を詳細に説明するが、本発明はこれらの実施例によって限定されるものではない。
【０１１８】
試験例1．組織線維化疾患モデルマウスの血清の調製
マウスとして、11週齢のC57BL6/J雄マウスを用いて、既報の文献（Am J Respir Crit Care Med. 2012 Jul 15;186(2):170-80.）に従って行った。ブレオマイシン（日本化薬）のPBS溶液（2.5 mg/mL）40μL（ブレオマイシン 0.1 mg含有）を、4％イソフルランで吸入麻酔したマウスに、2回に分けて（20μLずつ）、経鼻投与した。投与から21日後に血清を回収した。病理評価を行い、組織線維化状態にあるマウス（n＝8）の血清を、組織線維化疾患モデルマウスの血清として選別した。なお、病理評価においては、公知の方法（Am J Physiol Lung Cell Mol Physiol. 2014 Apr 15; 306(8): L736-L748.）に従って、線維化スコアを算出した。
【０１１９】
試験例2．慢性閉塞性肺疾患（COPD）モデルマウスの血清の調製
マウスとして、11週齢のC57BL6/J雄マウスを用いた。4％イソフルランで吸入麻酔したマウスに、ブタエラスターゼ（Elastase Products Company社製）7.5 Uを含有する滅菌PBS 40μLを、2回に分けて、20μLずつ投与した。より具体的には、一回目に20μLを滴下して吸引させ、しばらく休ませてから再度滴下して吸引させた。投与から21日後に、血清を回収した。病理評価を行い、慢性閉塞性肺疾患の状態にあるマウス（n＝8）の血清を、慢性閉塞性肺疾患モデルマウスの血清として選別した。なお、病理評価においては、公知の方法に従って、平均肺胞径を測定した。この平均肺胞径はCOPDの指標となる値である。
【０１２０】
試験例3．エクソソーム画分の調製
試験例1及び2で得られた血清、並びに正常マウス（11週齢のC57BL6/J雄マウス、n＝8）の血清からエクソソーム画分を調製した。エクソソーム画分の調製は、エクソソーム精製カラム（EV-Second、ジーエルサイエンス社製）を用いて行った。
【０１２１】
試験例4．プロテオミクス解析（ノンラベル、LC-MS/MS）
エクソソーム画分中のタンパク質の定量を、LC-MS/MS分析（ノンラベル法）により行った。具体的には以下のようにして行った。
【０１２２】
（サンプル調製）
エクソソーム画分を、5mMのTCEPを用いて37℃で30分間還元し、25mMのヨードアセトアミドを用いて室温で45分間アルキル化した。その後、サンプルを50mM重炭酸アンモニウムで7倍希釈し、96ウェルフィルタープレートに入れ、5μLの固定化トリプシン（Thermo Fisher Scientific社製）と共に37℃で6時間振とうして、消化させた。トリプシン消化物を、Oasis HLB 96-well μElution Plate（Waters Corporation社製、米国）を用いて脱塩し、LC-MS/MS分析に供した。
【０１２３】
（LC／MS／MS分析）
乾燥したペプチドサンプルを、0.1％のトリフルオロ酢酸を含む、2％のアセトニトリル溶液に再懸濁し、Ultimate 3000 RSLC nano-flow HPLC system（DIONEX社製、米国）を備えるLTQ-Orbitrap-Velos mass spectrometer（Thermo Fisher Scientific社製）を用いて分析した。75μm × 150 mm C18 tip-column（日京テクノス社製）において、溶媒A（0．1％のギ酸）および溶媒B（アセトニトリル中の0．1％ギ酸）を用い、流速250nL／分において、95分間で溶媒Bを6.4〜30％、その後10分間で溶媒Bを30〜95％とする多段階直線勾配で、サンプルを分離した。
【０１２４】
溶出したペプチドを、2000 Vのスプレー電圧でイオン化し、MSデータをデータ依存型フラグメント法で取得した。測定スキャン（survey scan）は、m／z 400〜1600、分解度60000、AGCターゲット値1.0×106イオンカウントで行った。各測定スキャンにおける上位20の強度の前駆イオンを、リニアイオントラップでAGCターゲット値5000イオンカウントのノーマルCIDスキャンモードを用いた低分解能MS/MS取得に供した。
【０１２５】
Proteome Discoverer 1.3 software（Thermo Fischer Scientific社製）を用いてSEQUESTデータベースサーチを行い、タンパク質の同定を試みた。MS/MSスペクトルをマウスタンパク質データベースUniProtに対して検索した。検索パラメーターは次のとおりである：Enzyme Name = Semitrypsin、Precursor Mass Tolerance = 3 ppm、Fragment Mass Tolerance = 0.8 Da、Dynamic Modification = Oxidation (Met)、Static Modification = Carbamidomethyl (Cys)。SEQUEST Decoy Database SearchにおけるPeptide Validator activityによるFDR（false discovery rate）が1％未満である場合に、そのペプチドと同定した。
【０１２６】
（Expressionistサーバーにおけるラベルフリー定量分析）
LC-MS/MSのデータセットを、Expressionist RefinerMS module（Genedata AG社製、スイス）にロードし、データ処理およびフリー定量分析を行った。RefinerMS softwareの全体的なワークフローを図2に示す。2D MSクロマトグラム面（x = m/z 、y =RT）上の10個のデータポイント毎にSpectrum Gridをセッティングした。次いで、第1および第2のChemical Noise Subtractionにおいて、RT = 2 scansおよびm/z = 6 pointsで、Structure Removalを順次行った。続いて、第3のChemical Noise Subtractionにおいて、RT Window = 500 scansおよびQuantile = 90%でStructure Removalを行った。第4のChemical Noise Subtractionにおいて、RT = 2 scansでStructure Removalを行った。その後、2000未満の強度のシグナルを、Intensity Thresholdingを用いて排除した。最後に、第5および第6のChemical Noise Subtractionにおいて、ぞれぞれRT = 2 scansおよびm/z = 5 pointsでStructure Removal行った。
【０１２７】
次いで、Chromatogram Gridをノイズ減算データ上の10スキャン毎にセットし、次のパラメーターを用いてChromatogram RT Alignmentを行った：m/z Window = 11 points、RT Window = 11 scans、Gap Penalty = 1、RT Search Interval = 2 minutes、Alignment Scheme = pairwise alignment based tree。
【０１２８】
続いて、一時的平均化クロマトグラムにおけるピークを、次のパラメーターを用いて、Summed Peak Detection Activityによって検出した：Summation Window = 20 scans、Overlap = 10、Minimum Peak Size = 6 scans、Maximum Merge Distance = 1 data points、Gap/Peak Ratio = 5、Method = curvature-based peak detection、Peak Refinement Threshold = 5、Consistency Filter Threshold = 1。最後に、Summed Isotope Clustering Activityを用いて、1つの分子に由来する同位体ピークを同位体クラスターにグループ化した。このときのパラメーターは次のとおりである：Minimum Charge = 1、Maximum Charge = 6、Maximum Missing Peaks = 0、First Allowed Gap Position = 10、Ionization =protonation、RT Tolerance = 0.1 minute、m/z Tolerance = 0.01 Da、Minimum Cluster Size Ratio = 0.5。
【０１２９】
（Expressionist Analystにおける統計学的解析）
組織線維化疾患モデルマウス群と正常マウス群とを比較し、t-検定により、2つの群間で有意に（P<0.05）離れた発現レベルを示す候補を抽出した。同様に、慢性閉塞性肺疾患モデルマウス群と正常マウス群とを比較し、t-検定により、2つの群間で有意に（P<0.05）離れた発現レベルを示す候補を抽出した。次に、バイオマーカー候補の最小の組合せを、Expressionist Analyst module （Genedata AG）におけるSupport Vector Machine-Recursive Feature Elimination（SVM-RFE）アルゴリズムまたはSVM-SVMアルゴリズムによって、取扱説明書に従い、見積もった。
【０１３０】
（結果）
各種タンパク質の定量データを得た。組織線維化疾患モデルマウスのエクソソーム画分における量の平均値（線維化群）が、正常マウスのエクソソーム画分における量の平均値（コントロール群）の3倍以上であったタンパク質、及びコントロール群では発現を確認できないが線維化群では発現が確認できたタンパク質を、組織線維化疾患バイオマーカーとして一定程度の有効性があると判定し、選択した。さらに、各線維化群モデルマウスにおける線維化スコアとタンパク質量との相関を解析し、相関係数（r値）を算出した。選択されたタンパク質、コントロール群に対する量比、及び相関係数を表１〜２に示す。
【０１３１】
【表１】
2020076572.tif 000002
【０１３２】
【表２】
2020076572.tif 000003
【０１３３】
表１〜２のタンパク質群の内、4F2 cell-surface antigen heavy chain、Alpha-1-antitrypsin 1-5、Alpha-2-antiplasmin、Alpha-2-macroglobulin、Amyloid beta A4 protein、Disintegrin and metalloproteinase domain-containing protein 10、Beta-2-microglobulin、Basigin、Bridging integrator 2、Complement C1q subcomponent subunit A、Complement C1q subcomponent subunit B、Complement C1q subcomponent subunit C、Complement C1r-A subcomponent、C4b-binding protein、Collagen alpha-1(I) chain、Collagen alpha-2(I) chain、Collagen alpha-2(IV) chain、Collagen alpha-2(VI) chain、Collagen alpha-1(XVIII) chain、Carboxypeptidase N subunit 2、Complement C1s-A subcomponent、Cytochrome c oxidase subunit 6B1、EGF-containing fibulin-like extracellular matrix protein 1、Platelet glycoprotein Ib beta chain、Platelet glycoprotein IX、Solute carrier family 2, facilitated glucose transporter member 3、H-2 class I histocompatibility antigen, Q10 alpha chain、Hippocalcin-like protein 1、Plasma protease C1 inhibitor、Interferon-induced transmembrane protein 2、Interferon-induced transmembrane protein 3、Integrin alpha-IIb、Integrin alpha-6、Integrin beta-2、Ig kappa chain V-V region MOPC 41、Laminin subunit gamma-1、Lymphocyte antigen 6E、Multimerin-1、Mucin-13、Myc target protein 1、Biglycan、Platelet factor 4、Receptor-type tyrosine-protein phosphatase eta、Sodium-dependent serotonin transporter、Serine incorporator 3、Synaptosomal-associated protein 23、Gamma-1-syntrophin、Serglycin、Trem-like transcript 1 protein、Tetraspanin-9、Thrombospondin-1、Transthyretin、Vesicle-associated membrane protein 3、及びVesicle-associated membrane protein 8については、線維化群において、コントロール群に比べて一定以上の量であったのみならず、COPD群においても、コントロール群に比べて一定以上の量であったタンパク質である。